(57)【要約】【課題】内径が異なる様々なロール体を使用可能なプリンタであっても、ロール体をプリンタにセットするだけで印字媒体の情報を取得できるようにする。【解決手段】プリンタは、帯状の印字媒体を巻回してなるロール体を保持する媒体保持部と、ロール体の一方の側面をガイドする壁部と、を備え、ロール体の内側に取り付けられた通信タグと通信するための複数のアンテナが、媒体保持部に保持されたロール体の軸線方向と直交する面に沿って壁部に設けられる。【選択図】図２Ａ
2020049712.tif 000002
【特許請求の範囲】
【請求項１】
帯状の印字媒体を巻回してなるロール体を保持する媒体保持部と、
前記ロール体の一方の側面をガイドする壁部と、
を備え、
前記ロール体の内側に取り付けられた通信タグと通信するための複数のアンテナが、前記媒体保持部に保持された前記ロール体の軸線方向と直交する面に沿って前記壁部に設けられる、
プリンタ。
【請求項２】
請求項１に記載のプリンタであって、
前記複数のアンテナは、ループアンテナであり、前記ロール体の軸線方向からみて、前記ループアンテナの上下方向の頂点が、前記媒体保持部の上下方向の頂点を基準点として所定の範囲内に位置する、
プリンタ。
【請求項３】
請求項２に記載のプリンタであって、
前記ループアンテナは、円環状に形成される、
プリンタ。
【請求項４】
請求項２又は３に記載のプリンタであって、
前記複数のループアンテナのそれぞれは、内径が異なる複数の前記ロール体のそれぞれと対応し、
前記ロール体が回転したときの前記通信タグの運動軌跡は、対応する前記ループアンテナの形状と同じ軌跡を描く、
プリンタ。
【請求項５】
請求項１から４のいずれか一つに記載のプリンタであって、
前記通信タグは、前記ロール体の円筒状の紙管に取り付けられる、
プリンタ。
【請求項６】
請求項１から５のいずれか一つに記載のプリンタであって、
前記媒体保持部には前記ロール体の他方の側面をガイドする規制部が設けられ、
前記ロール体が前記媒体保持部によって保持された状態において、前記通信タグは、前記ロール体における前記壁部側に位置する、
プリンタ。
【請求項７】
請求項１から６のいずれか一つに記載のプリンタであって、
前記壁部に設けられた前記アンテナと前記通信タグが有するアンテナとは、それぞれ設けられた面が直交する、
プリンタ。
【発明の詳細な説明】
【技術分野】
【０００１】
本発明は、プリンタに関する。
【背景技術】
【０００２】
特許文献１には、芯管に帯状の紙葉類が巻回されたロール体を回転自在に支持し、ロール体を回転させて紙葉類を繰り出し、紙葉類に被包装体を単位量毎に小分けして包装する分包機が開示されている。
【０００３】
分包機は、ロール体に設けられた被検知体と、被検知体を検知する検知器と、を備え、紙葉類を分包機にセットするだけで被検知体に書き込まれた分包紙の情報を得ることができるようになっている。
【先行技術文献】
【特許文献】
【０００４】
【特許文献１】特開２００４−２４８７５２号公報
【発明の概要】
【発明が解決しようとする課題】
【０００５】
プリンタにセットされたロール状の印字媒体（ロール体）の情報を取得するために、上記の技術をプリンタに適用することが考えられる。
【０００６】
しかしながら、プリンタにおいては、内径が異なる様々なロール体が存在する。よって、単に上記の技術をプリンタに適用したとしても、使用するロール体の内径によって検知器に対する被検知体の相対的位置が変化してしまうので、被検知体と検知器との間の通信を適切に行うことが難しい。
【０００７】
本発明は、このような技術的課題に鑑みてなされたもので、内径が異なる様々なロール体を使用可能なプリンタであっても、ロール体をプリンタにセットするだけで印字媒体の情報を取得できるようにすることを目的とする。
【課題を解決するための手段】
【０００８】
本発明のある態様によれば、帯状の印字媒体を巻回してなるロール体を保持する媒体保持部と、前記ロール体の一方の側面をガイドする壁部と、を備え、前記ロール体の内側に取り付けられた通信タグと通信するための複数のアンテナが、前記媒体保持部に保持された前記ロール体の軸線方向と直交する面に沿って前記壁部に設けられる、プリンタが提供される。
【発明の効果】
【０００９】
これによれば、プリンタが複数のアンテナを備えるので、内径が異なる様々なロール体それぞれに対応するように複数のアンテナそれぞれを構成することができる。よって、内径が異なる様々なロール体を使用可能なプリンタであっても、ロール体をプリンタにセットするだけで、当該ロール体に対応するアンテナを用いてロール体に取り付けられた通信タグとの通信を適切に行うことができ、印字媒体の情報を取得できる。
【図面の簡単な説明】
【００１０】
【図１】本発明の実施形態に係るプリンタの概略構成図である。
【図２Ａ】プリンタに第１ロール体がセットされた場合における図１のＩＩ−ＩＩ線に沿う概略断面図である。
【図２Ｂ】プリンタに第２ロール体がセットされた場合における図１のＩＩ−ＩＩ線に沿う概略断面図である。
【図３】媒体供給部をアンテナ側から見た概略構成図である。
【図４】コントローラが実行するアンテナへの通電処理を示すフローチャートである。
【発明を実施するための形態】
【００１１】
以下、図１〜図３を参照しながら本発明の実施形態に係るプリンタ１００について説明する。
【００１２】
プリンタ１００は、サーマル紙である印字媒体Ｍに印字を行う感熱発色方式のプリンタである。プリンタ１００は、図１に示すように、印字機構１と、アンテナ２（図２Ａ〜図３参照）と、媒体供給部４と、カッター５と、コントローラ７と、媒体位置検出センサ９と、を備える。なお、プリンタ１００は、例えば、熱転写方式、インクジェット方式等としてもよい。
【００１３】
印字機構１は、ヘッドユニット１１と、プラテンローラ１２と、プラテン駆動モータ１４と、ヘッド位置検出センサ１７と、を備え、印字媒体Ｍへの印字と印字媒体Ｍの搬送を行う機構である。
【００１４】
ヘッドユニット１１は、サーマルヘッド１６の複数の発熱体（図示せず）を下面から露出させた状態でサーマルヘッド１６を保持する。プラテンローラ１２は、サーマルヘッド１６の直下に配置され、印字媒体Ｍに印字を行う印字部１５をサーマルヘッド１６とともに構成する。
【００１５】
ヘッドユニット１１は、支持軸１３によりプリンタ１００の筐体に対して図１の矢印の方向に揺動可能に支持される。ヘッドユニット１１は、図１に２点鎖線で示すサーマルヘッド１６がプラテンローラ１２から離間するヘッドオープン位置と、図１に実線で示すサーマルヘッド１６がプラテンローラ１２に当接するヘッドクローズ位置と、に移動させることができる。
【００１６】
プラテン駆動モータ１４は、ベルト、ギヤ等を介してプラテンローラ１２を駆動する。
【００１７】
ヘッド位置検出センサ１７は、例えば、反射型光電センサであって、ヘッドユニット１１の位置がヘッドクローズ位置にあることを検出するためのセンサである。
【００１８】
媒体供給部４は、印字部１５に供給される帯状の印字媒体Ｍを円筒状の紙管６に巻回してなるロール体Ｔを保持する。印字媒体Ｍは、ガイド軸１０よって印字部１５へと案内され、サーマルヘッド１６とプラテンローラ１２との間に挟持される。
【００１９】
ロール体Ｔとしては、例えば、ロール紙や、帯状の台紙に複数のラベルを所定の間隔で連続して仮着してロール状に巻き回したロールラベル、表面に剥離剤を設けた帯状のラベルをロール状に巻き回した台紙なしラベル等がある。
【００２０】
印字媒体Ｍがサーマルヘッド１６とプラテンローラ１２との間に挟持された状態でサーマルヘッド１６の発熱体への通電が行われると、発熱体の熱によって印字媒体Ｍが発色し、印字媒体Ｍへの印字が行われる。
【００２１】
プラテン駆動モータ１４によってプラテンローラ１２が正（反時計回りに）回転すると、印字媒体Ｍが搬送方向下流側へと搬送されて印字媒体Ｍが排出口８からプリンタ１００の外部に排出される。排出口８の近傍にはカッター５が設けられ、連続状に形成された印字媒体Ｍを単枚に切断することができる。
【００２２】
媒体位置検出センサ９は、例えば、反射型光電センサであって、印字媒体Ｍに所定ピッチであらかじめ印刷されているタイミングマーク（図示せず）を検出することで、連続して印字発行するときに、印字部１５に対する印字媒体Ｍの相対的位置を検出する。
【００２３】
コントローラ７は、マイクロプロセッサ、ＲＯＭやＲＡＭ等の記憶装置、入出力インターフェース、これらを接続するバス等で構成される。コントローラ７には、入出力インターフェースを介して、図示しない外部のコンピュータ等からの印字データ、媒体位置検出センサ９の検出信号、ヘッド位置検出センサ１７の検出信号等が入力される。
【００２４】
また、本実施形態では、コントローラ７は、ロール体Ｔの紙管６の内側（内周面）に取り付けられた近距離無線通信用の通信タグ６３に書き込まれている情報を読み取るタグリーダとしての機能を有する。コントローラ７は、アンテナ２を用いて通信タグ６３との通信を行う。
【００２５】
通信タグ６３には、印字媒体Ｍに関する情報として、例えば、印字媒体Ｍの生産日、生産ロット、材質、幅（サイズ）、受注番号、基材コード、１巻のラベル巻き数、ロット番号、ロットの総巻数、列ナンバー等が書き込まれている。コントローラ７は、通信タグ６３から取得した情報に基づいて、プリンタ１００の印字設定等を自動的に変更可能である。これにより、印字制御の最適化、消費期限管理、自動発注、運用ミス防止、不具合調整等が図られる。
【００２６】
コントローラ７は、記憶装置に記憶されている各種プログラムをマイクロプロセッサによって実行し、サーマルヘッド１６の発熱体への通電、プラテン駆動モータ１４への通電、及びアンテナ２への通電等を制御する。コントローラ７を複数のマイクロコンピュータによって構成してもよい。
【００２７】
本実施形態のプリンタ１００は、ロール体Ｔとして、内径が異なる第１ロール体Ｔ１及び第２ロール体Ｔ２を用いることができる。これに対応して、アンテナ２は、図２Ａ〜図３に示すように、第１ロール体Ｔ１に取り付けられた通信タグ６４と通信するための第１ループアンテナ２１と、第２ロール体Ｔ２に取り付けられた通信タグ６５と通信するための第２ループアンテナ２２と、で構成される。なお、第１ループアンテナ２１と第２ループアンテナ２２とは、それぞれ独立して設けられる。
【００２８】
図２Ａ、図２Ｂに示すように、媒体供給部４は、水平方向に延在してロール体Ｔ（Ｔ１、Ｔ２）を保持する媒体供給軸４２（媒体保持部）と、鉛直方向に延在して媒体供給軸４２を支持する壁部４１と、媒体供給軸４２に設けられてロール体Ｔが媒体供給軸４２から外れることを防止する規制部４３と、を備える。なお、図１では、壁部４１及び規制部４３については記載を省略している。
【００２９】
壁部４１は、媒体供給軸４２によって保持されたロール体Ｔの一方の側面をガイドする。
【００３０】
媒体保持部としての媒体供給軸４２は、その基端が壁部４１と連結するように壁部４１に固定されているが、これに限定されるものではなく、例えば、壁部４１と一体に成形されてもよい。
【００３１】
図２Ａに示すように、第１ロール体Ｔ１は、円筒状の紙管６１と、紙管６１に巻回されたロール状の印字媒体Ｍ１と、紙管６１の内側（内周面）に取り付けられた通信タグ６４と、を有する。第１ロール体Ｔ１は、内径ｄ１を有する。
【００３２】
通信タグ６４は、印字媒体Ｍ１に関する情報が書き込まれたＩＣチップ６４ａと、ＩＣチップ６４ａと接続されたループアンテナ６４ｂと、を備える。
【００３３】
本実施形態では、通信タグのアンテナとしてのループアンテナ６４ｂは四角形状を有し、その一辺が第１ロール体Ｔ１の軸線方向と直交する面に沿うように配置される。
【００３４】
図２Ｂに示すように、第２ロール体Ｔ２は、円筒状の紙管６２と、紙管６２に巻回されたロール状の印字媒体Ｍ２と、紙管６２の内側（内周面）に取り付けられた通信タグ６５と、を有する。第２ロール体Ｔ２は、第１ロール体Ｔ１の内径ｄ１よりも大きい内径ｄ２を有する。
【００３５】
通信タグ６５は、印字媒体Ｍ２に関する情報が書き込まれたＩＣチップ６５ａと、ＩＣチップ６５ａと接続されたループアンテナ６５ｂと、を備える。
【００３６】
本実施形態では、通信タグのアンテナとしてのループアンテナ６５ｂは四角形状を有し、その一辺が第２ロール体Ｔ２の軸線方向と直交する面に沿うように配置される。
【００３７】
なお、図１〜図２Ｂでは、便宜上、通信タグ６３、６４、６５に厚みを持たせていることから、紙管６、６１、６２にそれぞれが埋め込まれた態様となっている。しかしながら、通信タグ６３、６４、６５は、紙管６、６１、６２の内周面に貼りつけてもよい。
【００３８】
規制部４３は、媒体供給軸４２の上下方向の頂点Ａよりも上方に延伸して設けられ、ロール体Ｔと当接することによって、ロール体Ｔが媒体供給軸４２の先端から脱落してしまうことを防止する。すなわち、規制部４３が媒体供給軸４２によって保持されたロール体Ｔの他方の側面をガイドすることによって、ロール体Ｔが壁部４１と規制部４３との間に位置する。
【００３９】
規制部４３は、図２Ａ、図２Ｂに白抜き矢印で示すように、使用するロール体Ｔの幅に合わせて位置を移動させることができる。また、媒体供給軸４２の先端まで移動させると、媒体供給軸４２の軸線方向と平行になるまで倒すことができるようになっている。
【００４０】
壁部４１における媒体供給軸４２とは反対側（裏側）には、媒体供給軸４２の軸線方向（すなわち、媒体供給軸４２に保持されたロール体Ｔの軸線方向）と直交する面に沿うようにアンテナ２（第１ループアンテナ２１、第２ループアンテナ２２）が設けられる。
【００４１】
第１ループアンテナ２１は、図２Ａ、図３に示すように、媒体供給軸４２の軸線方向からみて媒体供給軸４２を取り囲む円環状に形成されており、第１ロール体Ｔ１と同じ内径ｄ１を有する。
【００４２】
第２ループアンテナ２２は、図２Ｂ、図３に示すように、媒体供給軸４２の軸線方向からみて媒体供給軸４２を取り囲む円環状に形成されており、第２ロール体Ｔ２と同じ内径ｄ２を有する。
【００４３】
第１ループアンテナ２１及び第２ループアンテナ２２は、媒体供給軸４２の軸線方向からみて、それぞれの上下方向の頂点が、媒体供給軸４２の上下方向の頂点Ａを基準点として、その近傍に位置するように配置されている。
【００４４】
第１ループアンテナ２１及び第２ループアンテナ２２は、媒体供給軸４２の軸線方向からみて、それぞれの上下方向の頂点が媒体供給軸４２の上下方向の頂点Ａ（基準点）と一致するように配置されることが好ましい。
【００４５】
本実施形態では、第１ループアンテナ２１は、第１ロール体Ｔ１と同じ内径ｄ１を有する。よって、第１ロール体Ｔ１が媒体供給軸４２によって保持された場合、つまり、プリンタ１００に第１ロール体Ｔ１がセットされた場合は、媒体供給軸４２の軸線方向からみて、第１ロール体Ｔ１の内周円は、第１ループアンテナ２１と重なる。これにより、第１ロール体Ｔ１が軸線周りに回転したときの通信タグ６４の運動軌跡は、第１ループアンテナ２１の形状と一致する。すなわち、第１ロール体Ｔ１が軸線周りに回転したときの通信タグ６４の運動軌跡は、第１ループアンテナ２１の形状と同じ軌跡を描く。
【００４６】
上記構成によれば、第１ロール体Ｔ１をプリンタ１００にセットした状態で、通信タグ６４が紙管６１の内周面においてどの方向にあっても、通信タグ６４と第１ループアンテナ２１のアンテナ線との距離が一定となる。
【００４７】
よって、第１ロール体Ｔ１がプリンタ１００にセットされた場合、コントローラ７は、第１ループアンテナ２１を用いることで、第１ロール体Ｔ１の通信タグ６４と適切に通信することができる。
【００４８】
つまり、上記構成によれば、第１ロール体Ｔ１をプリンタ１００にセットする際に、通信タグ６４を特定の方向に位置させるような煩雑な作業を行う必要がない。このように、第１ループアンテナ２１は、第１ロール体Ｔ１に対応する。
【００４９】
本実施形態では、通信タグ６４のループアンテナ６４ｂと第１ループアンテナ２１とは、平行（対向）ではなく、直交するように設けられている。すなわち、通信タグ６４のループアンテナ６４ｂと第１ループアンテナ２１とは、それぞれ設けられた面が直交する。しかしながら、通信タグ６４を紙管６１の内周面における壁部４１側に配置してループアンテナ６４ｂを第１ループアンテナ２１に近づけることで、良好な通信状態を得ることができる。
【００５０】
また、本実施形態では、第２ループアンテナ２２は、第２ロール体Ｔ２と同じ内径ｄ２を有する。よって、第２ロール体Ｔ２が媒体供給軸４２によって保持された場合、つまり、プリンタ１００に第２ロール体Ｔ２がセットされた場合は、媒体供給軸４２の軸線方向からみて、第２ロール体Ｔ２の内周円は、第２ループアンテナ２２と重なる。これにより、第２ロール体Ｔ２が中心軸周りに回転したときの通信タグ６５の運動軌跡は、第２ループアンテナ２２の形状と一致する。すなわち、第２ロール体Ｔ２が軸線周りに回転したときの通信タグ６５の運動軌跡は、第２ループアンテナ２２の形状と同じ軌跡を描く。
【００５１】
上記構成によれば、第２ロール体Ｔ２をプリンタ１００にセットした状態で、通信タグ６５が紙管６２の内周面においてどの方向にあっても、通信タグ６５と第２ループアンテナ２２のアンテナ線との距離が一定となる。
【００５２】
よって、第２ロール体Ｔ２がプリンタ１００にセットされた場合、コントローラ７は、第２ループアンテナ２２を用いることで、第２ロール体Ｔ２の通信タグ６５と適切に通信することができる。
【００５３】
つまり、上記構成によれば、第２ロール体Ｔ２をプリンタ１００にセットする際に、通信タグ６５を特定の方向に位置させるような煩雑な作業を行う必要がない。このように、第２ループアンテナ２２は、第２ロール体Ｔ２に対応する。
【００５４】
本実施形態では、通信タグ６５のループアンテナ６５ｂと第２ループアンテナ２２とは、平行（対向）ではなく、直交するように設けられている。すなわち、通信タグ６５のループアンテナ６５ｂと第２ループアンテナ２２とは、それぞれ設けられた面が直交する。しかしながら、通信タグ６５を紙管６２の内周面における壁部４１側に配置してループアンテナ６５ｂを第２ループアンテナ２２に近づけることで、良好な通信状態を得ることができる。
【００５５】
上述したように、第１ループアンテナ２１及び第２ループアンテナ２２は、媒体供給軸４２の軸線方向からみて、それぞれの上下方向の頂点が、媒体供給軸４２の上下方向の頂点Ａを基準点として、その近傍に位置するように配置されている。これは、言い換えると、第１ループアンテナ２１及び第２ループアンテナ２２は、それぞれが対応するロール体Ｔ（Ｔ１、Ｔ２）の通信タグ６３（６４、６５）との通信が可能な限度において、媒体供給軸４２の軸線方向からみて、それぞれの上下方向の頂点が、基準点に対して所定の範囲内に位置していればよいということである。
【００５６】
コントローラ７は、第１ループアンテナ２１への通電を行うタイミングと、第２ループアンテナ２２への通電を行うタイミングとをずらすように制御することができる。すなわち、第１ループアンテナ２１への通電を行うタイミングと第２ループアンテナ２２への通電を行うタイミングとが重ならないように制御することができる。
【００５７】
これによれば、第１ループアンテナ２１と第２ループアンテナ２２との間の電波干渉を防止することができるので、プリンタ１００にセットされたロール体Ｔ（Ｔ１、Ｔ２）の通信タグ６３（６４、６５）との通信を適切に行うことができる。
【００５８】
続いて、図４に示すフローチャートを参照しながら、コントローラ７が実行するアンテナ２への通電処理について説明する。
【００５９】
プリンタ１００の電源がＯＮになると、コントローラ７が起動してステップＳ１に進む。
【００６０】
ステップＳ１では、コントローラ７は、アンテナ２への通電を行う。アンテナ２への通電が行われると、コントローラ７は、アンテナ２を介して、通信タグ６３から印字媒体Ｍの情報を読み取ることができる。
【００６１】
ステップＳ２では、コントローラ７は、ヘッド位置検出センサ１７から入力された検出信号に基づき、ヘッドユニット１１がヘッドオープン位置からヘッドクローズ位置へ移動したかを判定する。
【００６２】
コントローラ７は、ヘッドユニット１１がヘッドオープン位置からヘッドクローズ位置へ移動したと判定すると、処理をステップＳ１に移行してアンテナ２への通電を行う。また、ヘッドユニット１１がヘッドオープン位置からヘッドクローズ位置へ移動していないと判定すると、ステップＳ２の処理を繰り返し実行する。
【００６３】
このように、アンテナ２への通電は、常に行われるものではなく、特定のタイミングに行われる。すなわち、プリンタ１００の電源を入れたとき、及びヘッドユニット１１がヘッドオープン位置からヘッドクローズ位置へ移動する動作があったときに行われるのが最適である。なお、印字中、つまり、ロール体Ｔが回転している間（プリンタの稼働中）にアンテナ２への通電が行われてもよい。
【００６４】
プリンタ１００の電源を入れたときにアンテナ２への通電を実行するのは、電源がＯＦＦの間にロール体Ｔが交換されている可能性があるからである。ヘッドユニット１１がヘッドオープン位置からヘッドクローズ位置へ移動する動作があったときも同様に、ヘッドユニット１１がヘッドオープン位置にある間にロール体Ｔの交換が行われている可能性があるからである。
【００６５】
これにより、ロール体Ｔのプリンタ１００への交換が行われた可能性があるタイミング、すなわち、印字媒体Ｍの情報を読み取る必要があるタイミングに、アンテナ２への通電が行われる。その結果、アンテナ２への通電による電力消費を効果的に抑制することができるとともに、コントローラ７の処理コストを低減することができる。
【００６６】
なお、図４のフローチャートに従った処理は、プリンタ１００の電源がＯＦＦになるまで継続して実行される。
【００６７】
以上述べたように、本実施形態に係るプリンタ１００は、帯状の印字媒体Ｍ（Ｍ１、Ｍ２）を巻回してなるロール体Ｔ（Ｔ１、Ｔ２）を保持する媒体供給軸４２と、ロール体Ｔ（Ｔ１、Ｔ２）の一方の側面をガイドする壁部４１と、を備え、ロール体Ｔ（Ｔ１、Ｔ２）の内側に取り付けられた通信タグ６３（６４、６５）と通信するための複数のアンテナ（ループアンテナ２１、２２）が、媒体供給軸４２に保持されたロール体Ｔ（Ｔ１、Ｔ２）の軸線方向と直交する面に沿って壁部４１に設けられる。
【００６８】
これによれば、内径が異なるロール体Ｔ（Ｔ１、Ｔ２）それぞれに対応するように複数のループアンテナ２１、２２それぞれを構成することができる。よって、内径が異なる様々なロール体Ｔ（Ｔ１、Ｔ２）を使用可能なプリンタ１００であっても、ロール体Ｔ（Ｔ１、Ｔ２）をプリンタ１００にセットするだけで、当該ロール体Ｔ（Ｔ１、Ｔ２）に対応するループアンテナ２１、２２を用いてロール体Ｔ（Ｔ１、Ｔ２）に取り付けられた通信タグ６３（６４、６５）との通信を適切に行うことができ、印字媒体Ｍ（Ｍ１、Ｍ２）の情報を取得できる。
【００６９】
また、アンテナ２は、ループアンテナ２１、２２であり、ロール体Ｔ（Ｔ１、Ｔ２）の軸線方向からみて、ループアンテナ２１、２２の上下方向の頂点が、媒体供給軸４２の上下方向の頂点Ａを基準点として所定の範囲内に位置する。
【００７０】
ロール体Ｔ（Ｔ１、Ｔ２）が媒体供給軸４２によって保持されると、ロール体Ｔ（Ｔ１、Ｔ２）は、媒体供給軸４２に吊り下げられた状態となる。よって、通信タグ６３（６４、６５）が上方に位置するようにロール体Ｔ（Ｔ１、Ｔ２）がプリンタ１００にセットされた状態では、ループアンテナ２１、２２のアンテナ線と通信タグ６３（６４、６５）との距離が近くなる。これにより、通信タグ６３（６４、６５）との通信を適切に行うことができる。
【００７１】
また、ループアンテナ２１、２２は、円環状に形成される。
【００７２】
これによれば、ロール体Ｔ（Ｔ１、Ｔ２）が媒体供給軸４２によって保持された状態では、通信タグ６３（６４、６５）がロール体Ｔ（Ｔ１、Ｔ２）の内側においてどの方向にあっても、ループアンテナ２１、２２と、それぞれに対応するロール体Ｔ（Ｔ１、Ｔ２）に取り付けられた通信タグ６３（６４、６５）との距離が一定の範囲内に収まる。よって、プリンタ１００にセットされたロール体Ｔ（Ｔ１、Ｔ２）に対応するループアンテナ２１、２２を用いることで、ロール体Ｔ（Ｔ１、Ｔ２）の通信タグ６３（６４、６５）と適切に通信することができる。
【００７３】
また、複数のループアンテナ２１、２２のそれぞれは、内径が異なる複数のロール体Ｔ（Ｔ１、Ｔ２）のそれぞれと対応し、ロール体Ｔ（Ｔ１、Ｔ２）が回転したときの通信タグ６３（６４、６５）の運動軌跡は、対応するループアンテナ２１、２２の形状と同じ軌跡を描く。
【００７４】
これによれば、ロール体Ｔ（Ｔ１、Ｔ２）が媒体供給軸４２によって保持された状態では、通信タグ６３（６４、６５）がロール体Ｔ（Ｔ１、Ｔ２）の内側においてどの方向にあっても、ループアンテナ２１、２２と、それぞれに対応するロール体Ｔ（Ｔ１、Ｔ２）に取り付けられた通信タグ６３（６４、６５）との距離が最短となる。よって、プリンタ１００にセットされたロール体Ｔ（Ｔ１、Ｔ２）に対応するループアンテナ２１、２２を用いることで、ロール体Ｔ（Ｔ１、Ｔ２）の通信タグ６３（６４、６５）とより適切に通信することができる。
【００７５】
また、通信タグ６３（６４、６５）は、ロール体Ｔ（Ｔ１、Ｔ２）の円筒状の紙管６（６１、６２）に取り付けられる。
【００７６】
また、媒体供給軸４２にはロール体Ｔ（Ｔ１、Ｔ２）の他方の側面をガイドする規制部４３が設けられ、ロール体Ｔ（Ｔ１、Ｔ２）が媒体供給軸４２によって保持された状態において、通信タグ６３（６４、６５）は、ロール体Ｔ（Ｔ１、Ｔ２）における壁部４１側に位置する。
【００７７】
これによれば、ループアンテナ２１、２２のアンテナ線と通信タグ６３（６４、６５）との距離を近くできる。これにより、通信タグ６３（６４、６５）との通信を適切に行うことができる。
【００７８】
また、壁部４１に設けられたループアンテナ２１、２２と通信タグ６３（６４、６５）が有するループアンテナ６４ｂ、６５ｂとは、それぞれ設けられた面が直交する。
【００７９】
以上、本発明の実施形態について説明したが、上記実施形態は本発明の適用例の一つを示したものに過ぎず、本発明の技術的範囲を上記実施形態の具体的構成に限定する趣旨ではない。
【００８０】
上記実施形態では、通信タグ６３（６４、６５）は、ロール体Ｔ（Ｔ１、Ｔ２）の紙管６（６１、６２）の内側に取り付けられている。しかしながら、例えば、ロール体Ｔ（Ｔ１、Ｔ２）が紙管６（６１、６２）を備えない場合は、ロール状の印字媒体Ｍ（Ｍ１、Ｍ２）の内側（内周面）に直接取り付けてもよい。
【００８１】
また、上記実施形態では、アンテナ２は、第１ループアンテナ２１と第２ループアンテナ２２とを有するが、アンテナ２を構成するループアンテナの数は３つ以上であってもよい。
【００８２】
また、プリンタ１００は、内径が異なる３種類以上のロール体Ｔを使用可能であってもよい。
【００８３】
また、上記実施形態では、コントローラ７が通信タグ６３（６４、６５）と通信するタグリーダとしての機能を備えているが、コントローラ７と通信可能なタグリーダをコントローラ７とは別に設けてもよい。
【００８４】
また、ループアンテナ６４ｂ、６５ｂの形状は、四角形状以外の形状であってもよい。
【符号の説明】
【００８５】
１      印字機構
２      アンテナ
４      媒体供給部
５      カッター
６      紙管
７      コントローラ
８      排出口
９      媒体位置検出センサ
１０    ガイド軸
１１    ヘッドユニット
１２    プラテンローラ
１３    支持軸
１４    プラテン駆動モータ
１５    印字部
１６    サーマルヘッド
１７    ヘッド位置検出センサ
２１    第１ループアンテナ
２２    第２ループアンテナ
４１    壁部
４２    媒体供給軸（媒体保持部）
４３    規制部
６１    紙管
６２    紙管
６３    通信タグ
６４    通信タグ
６４ａ  ＩＣチップ
６４ｂ  ループアンテナ（通信タグのアンテナ）
６５    通信タグ
６５ａ  ＩＣチップ
６５ｂ  ループアンテナ（通信タグのアンテナ）
１００  プリンタ
Ｍ      印字媒体
Ｍ１    印字媒体
Ｍ２    印字媒体
Ｔ      ロール体
Ｔ１    ロール体
Ｔ２    ロール体
【図１】
2020049712.tif 000003
【図２Ａ】
2020049712.tif 000004
【図２Ｂ】
2020049712.tif 000005
【図３】
2020049712.tif 000006
【図４】
2020049712.tif 000007